(57)【要約】【課題】ペットの洗浄などの際に、ペットが暴れないように安全に拘束することで飼い主の作業を効率化し、且つ多大なスペースを必要とせずコンパクトにまとめることができるペット拘束装置を提供する。【解決手段】ペット拘束装置１は、ペットを載せることができる面積を有して、ペットの四脚を入れるための穴部２ａが形成された拘束用補助具２と、拘束用補助具２を支持するための支持具３と、支持具３を所定の高さで保持するための脚部４と、を備える。この構成により、ペット拘束装置１は、ペットの洗浄などの際に、ペットが暴れないように安全に拘束することで飼い主の作業を効率化し、且つ多大なスペースを必要とせずコンパクトにまとめることができる。【選択図】図１
0003217326.tif 000002
【実用新案登録請求の範囲】
【請求項１】
ペットを拘束するためのペット拘束装置であって、
ペットを載せることができる面積を有して、ペットの四脚を入れるための穴部が形成された拘束用補助具と、
前記拘束用補助具を支持するための支持具と、
前記支持具を、所定の高さで保持するための脚部と、を備えることを特徴とするペット拘束装置。
【請求項２】
前記拘束用補助具は、変形自在に折り畳み可能なシート状生地であって、
前記支持具は、前記シート状生地の縁辺を支持するための棒状部材であり、
前記脚部は、前記棒状部材の長手方向の両端側を、着脱可能に所定の高さで係止する係止部を有する、ことを特徴とする請求項１記載のペット拘束装置。
【請求項３】
前記拘束用補助具は、ペットの四脚が前記穴部に入れられた状態でペットの胴体部を拘束するためのベルト部を有する、ことを特徴とする請求項１又は２に記載のペット拘束装置。
【請求項４】
前記ベルト部は、面的に着脱できるファスナであり、
当該ファスナの一端側は、前記拘束用補助具の前記穴部又は前記穴部の周縁に接続される、ことを特徴とする請求項３記載のペット拘束装置。
【請求項５】
前記脚部は、折り畳み可能となるように構成される、ことを特徴とする請求項１乃至４の何れか一項に記載のペット拘束装置。
【請求項６】
前記脚部は、その高さを調整するための高さ調整手段を備える、ことを特徴とする請求項１乃至５の何れか一項に記載のペット拘束装置。
【請求項７】
前記拘束用補助具の穴部は、ペットの前脚用穴部と後脚用穴部とから成り、
前記後脚用穴部は、前記前脚用穴部より前記拘束用補助具の縁側に形成される、ことを特徴とする請求項１乃至６の何れか一項に記載のペット拘束装置。
【請求項８】
前記拘束用補助具は、伸縮性を有する素材で作られた網目状ネットであり、
前記穴部は、当該網目状ネットの何れかの網目に相当する、ことを特徴とする請求項１に記載のペット拘束装置。
【請求項９】
前記拘束用補助具は、前記穴部にペットの四脚を通すことができ、ペットの少なくとも胴体下部を覆う形状を有するハーネス型装着用具である、ことを特徴とする請求項１に記載のペット拘束装置。
【考案の詳細な説明】
【技術分野】
【０００１】
本考案は、犬や猫などのペットの洗浄、爪切り、調髪（トリミング）、治療などの際に効率的且つ安全にペットを拘束するために用いるペット拘束装置に関する。
【背景技術】
【０００２】
犬や猫などのペットの体を洗浄したり爪切りなどのケア作業を行うときに、ペットが身震いしたり動いてしまうとケア作業がやりにくく、時間も掛かってしまう。特に犬や猫などのペットはシャワーからの水に濡れることを嫌がる性質があり、飼い主はペットの洗浄や爪切りなどのケア作業に時間と手間を要しているのが現実である。
【０００３】
また、浴室などで足元にいる犬や猫を洗うときに、飼い主はしゃがんで腰を屈めるなど足腰に負担が掛かる無理な体勢を長期間保つ必要があり、膝や腰などに多大な負担がかかる。そして、その結果、膝や腰などを痛めてしまう場合がある。
【０００４】
従来より、この種の課題を解決するための様々な道具が開示されている。例えば、犬や猫の動きを制限してその体を洗う際に用いる補助具として、図８（ａ）に示すような小型のバスタブ容器１０がある。また、図８（ｂ）に示すような底面に脚や土台を取り付けて高さを設けた小型のバスタブ容器１１もある。さらに、ペットショップやペットサロンなどにおけるトリミング設備として、図８（ｃ）に示すようなステンレス製の台所流し台タイプの底の深いシンク１２なども使用されている。
【０００５】
そして、ペット拘束具の例として、例えば、家庭で小型犬の調髪シャンプー爪切りが、自分で楽しみながら簡単に出来る犬の調髪シャンプー爪切り道具が開示されている（例えば、特許文献１参照）。また、ペットを腹ばいで載せる広さを有し、左右対称に２対が形成されペットが四脚を入れる孔を有することを特徴とするペット用洗浄台も開示されている（例えば、特許文献２参照）。
【先行技術文献】
【特許文献】
【０００６】
【特許文献１】特開2000-324974号公報
【特許文献２】特開2006-158299号公報
【考案の概要】
【考案が解決しようとする課題】
【０００７】
しかしながら、図８に示すような犬や猫を洗うときに使用する小型のバスタブ容器１０，１１や底の深いシンク１２の場合は、ペットがその内部を動きまわることがあり、水を嫌がってその淵をよじ登ろうとしてもがいたり、ジャンプして逃げ出そうとする場合がある。その結果、洗浄中にペットの動きを安全に抑えることが非常に難しく、また、底が深い容器やシンクでは底部での作業が非常にやりにくく効率的ではないという問題がある。
【０００８】
また、図８に示すようなペット洗浄補助のための道具は、大掛かりでスペースを要し、現実問題として広く一般に普及しているコンパクトなペットの洗浄補助具はほとんど知られていない。
【０００９】
本考案は、上記課題に鑑みてなされたものであり、犬や猫などペットの洗浄などの際に、ペットが暴れないように安全に拘束することで飼い主の作業を効率化し、且つ多大なスペースを必要とせずコンパクトにまとめることができるペット拘束装置を提供することを目的とする。
【課題を解決するための手段】
【００１０】
上記課題を解決するため、本考案は、ペットを拘束するためのペット拘束装置であって、ペットを載せることができる面積を有して、ペットの四脚を入れるための穴部が形成された拘束用補助具と、前記拘束用補助具を支持するための支持具と、前記支持具を、所定の高さで保持するための脚部と、を備えることを特徴とするペット拘束装置である。
【００１１】
このペット拘束装置において、前記拘束用補助具は、変形自在に折り畳み可能なシート状生地であって、前記支持具は、前記シート状生地の縁辺を支持するための棒状部材であり、前記脚部は、前記棒状部材の長手方向の両端側を、着脱可能に所定の高さで係止する係止部を有することが好ましい。
【００１２】
このペット拘束装置において、前記拘束用補助具は、ペットの四脚が前記穴部に入れられた状態でペットの胴体部を拘束するためのベルト部を有することが好ましい。
【００１３】
このペット拘束装置において、前記ベルト部は、面的に着脱できるファスナであり、当該ファスナの一端側は、前記拘束用補助具の前記穴部又は前記穴部の周縁に接続されることが好ましい。
【００１４】
このペット拘束装置において、前記脚部は、折りたたみ可能となるように構成されることが好ましい。
【００１５】
このペット拘束装置において、前記脚部は、その高さを調整するための高さ調整手段を備えることが好ましい。
【００１６】
このペット拘束装置において、前記拘束用補助具の穴部は、ペットの前脚用穴部と後脚用穴部とから成り、前記後脚用穴部は、前記前脚用穴部より前記拘束用補助具の縁側に形成されることが好ましい。
【００１７】
このペット拘束装置において、前記拘束用補助具は、伸縮性を有する素材で作られた網目状ネットであり、前記穴部は、当該網目状ネットの何れかの網目に相当することが好ましい。
【００１８】
このペット拘束装置において、前記拘束用補助具は、前記穴部にペットの四脚を通すことができ、ペットの少なくとも胴体下部を覆う形状を有するハーネス型装着用具であることが好ましい。
【考案の効果】
【００１９】
本考案に係るペット拘束装置は、ペットを載せることができる面積を有して、ペットの四脚を入れるための穴部が形成された拘束用補助具と、この拘束用補助具を支持するための支持具と、この支持具を所定の高さで保持するための脚部と、を備える。この構成により、本願考案に係るペット拘束装置は、ペットの洗浄などの際に、ペットが暴れないように安全に拘束することで飼い主の作業を効率化し、且つ多大なスペースを必要とせずコンパクトにまとめることができる。
【図面の簡単な説明】
【００２０】
【図１】（ａ）本考案の実施の形態に係るペット拘束装置を組み立てた状態の斜視図、（ｂ）同上ペット拘束装置に備わるシート状生地の斜視図である。
【図２】同上ペット拘束装置に備わる脚部を折り畳んだ状態の斜視図である。
【図３】同上ペット拘束装置の使用例を示す斜視図である。
【図４】本考案の実施の形態の変形例１に係るペット拘束装置を組み立てた状態の斜視図である。
【図５】本考案の実施の形態の変形例２に係るペット拘束装置に用いるハーネス型装着用具を示す図である。
【図６】同上ペット拘束装置の脚部の他の例を示す参考図である。
【図７】同上ペット拘束装置の脚部の他の例を示す参考図である。
【図８】（ａ）〜（ｃ）従来のペット洗浄時の補助具を示す参考図である。
【考案を実施するための形態】
【００２１】
本考案の実施の形態に係るペット拘束装置について図面を参照して説明する。このペット拘束装置は、ペットのシャンプー、爪切り、調髪（トリミング）、治療時などにペットの身体が動かないように適切に拘束する際に用いられるものである。
【００２２】
最初に、本実施の形態に係るペット拘束装置の構造に関して図１及び図２を参照しながら説明する。図１（ａ）は、組み立てられた状態のペット拘束装置１を示し、このペット拘束装置１は、拘束用補助具２と、支持具３と、脚部４とを備える。拘束用補助具２には、ペットを載せることができる面積を有して、ペットの四脚を入れるための穴部２ａが形成されている。支持具３は、拘束用補助具２を支持する。脚部４は、支持具３を所定の高さで保持するための脚である。
【００２３】
本実施の形態１において、拘束用補助具２は、図１（ｂ）に示すような変形自在に折り畳み可能な矩形のシート状生地２である。生地は、例えば織物、編み物（メリヤス生地）、レース、フェルト、不織布などであり何れでも良い。このシート状生地２の長辺には、棒状の支持具３を挿通するためにその長辺方向に沿った挿通穴２ｂが形成されている。
【００２４】
穴部２ａは、ペットの前脚用穴部２１ａと後脚用穴部２２ａとから成り、後脚用穴部２２ａは、前脚用穴部２１ａよりシート状生地２の縁側に形成されている。
【００２５】
支持具３は、シート状生地２の縁辺を支持するための棒状部材３であり、シート状生地２の長辺を当該棒形状に沿う形となるように支持している。脚部４は、棒状部材３の長手方向の両端側を、着脱可能に所定の高さで係止する係止部４ａを有している。例えば、係止部４ａはリング形状の部材であって、このリングの内側に、棒状部材３の両端側が着脱可能に係止されている。
【００２６】
拘束用補助具２は、ペットの四脚が穴部２ａに入れられた状態でペットの胴体部を拘束するためのベルト部２ｃを有している。このベルト部２ｃは、面的に着脱できるファスナ（例えばマジックテープ（登録商標））であり、当該ファスナの一端側は、図１に示すように拘束用補助具２の穴部２ａ又は穴部２ａの周縁に接続される。
【００２７】
脚部４は、図２に示すように、支持具３を取り外した状態で、折り畳み可能となる骨組みなどで構成される。また、脚部４は、作業者の作業に併せてその高さを調整するための高さ調整手段（図示せず）を備える。この高さ調整手段は、例えば、上下に形成された複数の開口部にピンを挿し込んだり、調整ネジのような高さ調整ネジを利用することができる。
【００２８】
次に、本実施の形態に係るペット拘束装置１の実際の使用例に関して図３を参照しながら説明する。ペット拘束装置１の使用時には、まず、ペットをシート状生地２の上に載せて、その際に、四脚を穴部２ａに挿通する。次に、ベルト部２ｃを用いてペットの胴体を拘束する。このようにペットを拘束することで、シャンプー洗浄などの際にペットが暴れたり、飼い主を爪で引っかいたりすることがなくなる。
【００２９】
次に、ペット拘束装置１の不使用時に関して説明すると、シート状生地２は取り外されて折り畳まれて、支持具３は取り外されて、脚部４は折り畳んだ状態で収納される。このため、ペット拘束装置１は、多大なスペースを必要とせずコンパクトにまとめることができる。
【００３０】
以上の説明のように、本実施の形態に係るペット拘束装置１は、ペットを載せることができる面積を有して、ペットの四脚を入れるための穴部２ａが形成された拘束用補助具２と、拘束用補助具２を支持するための支持具３と、支持具３を所定の高さで保持するための脚部４と、を備える。
【００３１】
この構成により、ペット拘束装置１は、ペットの洗浄などの際に、ペットが暴れないように安全に拘束することで飼い主の作業を効率化できる。具体的には、ペット拘束装置１を用いることで、犬や猫などのペットの体を洗浄したり爪を切るなどのケア作業を作業者はスムーズに行うことが出来る。また、ペット拘束装置１は適度な高さにペットを保持しながら洗浄などの作業ができるため、飼い主はしゃがんで腰を屈めるなど足腰に負担が掛かる無理な体勢を長期間保つ必要がなくなり、その結果、作業者の膝や腰などに掛かる負担を大幅に軽減できる。さらに、シート状生地２は取り外されて折り畳まれて、脚部４は折りたたんだ状態で収納されるため、ペット拘束装置１をコンパクトにまとめることができ、とてもハンディで便利なものとなる。
【００３２】
（変形例１）
本実施の形態の変形例１について、図４を参照して説明する。本変形例１に係るペット拘束装置１において、拘束用補助具は、伸縮性を有する素材で作られた網目状ネット５であり、穴部は、網目状ネット５の何れかの網目に相当するものである。この構造により、本変形例１では、上記実施の形態に係るペット拘束装置１の作用効果に加えて、ペットの種類や大きさに依らず、一種類の網目状ネット５を用いることで、ペットの四脚を挿通することができる。この結果、ペットのサイズに併せて拘束用補助具のサイズを変更する必要性がなくなる。
【００３３】
（変形例２）
本実施の形態の変形例２について、図５を参照して説明する。本変形例２に係るペット拘束装置１において、拘束用補助具は、穴部にペットの四脚を通すことができ、ペットの少なくとも胴体下部を覆う形状を有するハーネス型装着用具６となる。このハーネス型装着用具６は例えば吊り下げられて使用される。この構造により、本変形例２では、上記実施の形態に係るペット拘束装置１の作用効果に加えて、ペットの前脚と後脚の間の胴体下部を拘束することでペットが動かなくなるというペット本来の性質を利用して洗浄作業ができ、作業の効率化を図ることができる。
【００３４】
なお、本考案は、上記実施の形態の構成に限られず、考案の趣旨を変更しない範囲で種々の変形が可能である。例えば、上記実施の形態においてはペット拘束装置１の脚部４の骨組みの構造は、図１乃至図３に示すもの限定されるものではなく、同じような機能を有する限り図６及び図７に示すような骨組みの脚部４ｂ，４ｃのような構成でも良いことは言うまでもない。
【符号の説明】
【００３５】
１  ペット拘束装置
２  拘束用補助具（シート状生地）
２ａ  穴部
２ｂ  挿通穴
２ｃ  ベルト部（ファスナ）
３  支持具（棒状部材）
４  脚部
４ａ  係止部
５  網目状ネット
６  ハーネス型装着用具
２１ａ  前脚用穴部
２２ａ  後脚用穴部
【図１】
0003217326.tif 000003
【図２】
0003217326.tif 000004
【図３】
0003217326.tif 000005
【図４】
0003217326.tif 000006
【図５】
0003217326.tif 000007
【図６】
0003217326.tif 000008
【図７】
0003217326.tif 000009
【図８】
0003217326.tif 000010